【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
画像を表示するための、タイル状に配置される放射ディスプレイ（５００）であって、機械的に共に結合される複数の放射ディスプレイタイルアセンブリ（１００）と、表示されるべき前記画像に関してリアルタイムの計算を実施するための処理手段とを備え、
前記処理手段は、前記複数の放射ディスプレイタイルアセンブリ（１００）の全体に分散された分散処理手段であり、それによって各放射ディスプレイタイルアセンブリ（１００）は、前記画像の異なる部分を取扱ってリアルタイムの計算を実施するのに適しており、前記分散処理手段は、さまざまな画素のＯＮ時間、光出力および耐用年数の補正に関連して、対応するディスプレイタイルアセンブリのこれらの画素についてリアルタイムの計算を実施するのに適する、タイル状に配置される放射ディスプレイ（５００）。
【請求項２】
表示されるべき前記画像に関するデータは、拡大縮小可能なビットストリームの形をとる複数の放射ディスプレイタイルアセンブリ（１００）に送信される、請求項１に記載の、タイル状に配置される放射ディスプレイ（５００）。
【請求項３】
放射ディスプレイタイルアセンブリ（１００）には、当該ディスプレイタイルアセンブリ（１００）に表示するために、拡大縮小可能なビットストリームの一部を選択するための手段が設けられる、請求項１または請求項２に記載の、タイル状に配置される放射ディスプレイ（５００）。
【請求項４】
前記選択するための手段は、前記ビットストリームを切り捨てるための切り捨て手段を含む、請求項３に記載の、タイル状に配置される放射ディスプレイ（５００）。
【請求項５】
前記分散処理手段は、各放射ディスプレイタイルアセンブリ（１００）において画像の拡大または縮小を実施するのに適する、請求項１から請求項４のいずれかに記載の、タイル状に配置される放射ディスプレイ（５００）。
【請求項６】
高レベルの変倍アルゴリズムが前記画像の拡大または縮小のために使用される、請求項５に記載の、タイル状に配置される放射ディスプレイ（５００）。
【請求項７】
前記高レベルの変倍アルゴリズムは、１００％の精度の変倍アルゴリズムである、請求項６に記載の、タイル状に配置される放射ディスプレイ（５００）。
【請求項８】
前記複数の放射ディスプレイタイルアセンブリ（１００）の前記分散処理手段は、並列して作動する、請求項１から請求項７のいずれかに記載の、タイル状に配置される放射ディスプレイ（５００）。
【請求項９】
放射ディスプレイタイルアセンブリ（１００）には、マルチライン接続、デイジーチェーン接続、またはスター接続のいずれかを介して別の放射ディスプレイタイルアセンブリ（１００）からデータを受信するか、または別の放射ディスプレイタイルアセンブリ（１００）にデータを送信するためのデータ入力および／またはデータ出力接続が設けられる、請求項１から請求項８のいずれかに記載の、タイル状に配置される放射ディスプレイ（５００）。
【請求項１０】
放射ディスプレイタイルアセンブリ（１００）には、マルチライン接続、デイジーチェーン接続、またはスター接続のいずれかを介して別の放射ディスプレイタイルアセンブリ（１００）から電力を受信するか、または別の放射ディスプレイタイルアセンブリ（１００）に電力を送信するための電力入力および／または電力出力接続が設けられる、請求項１から請求項９のいずれかに記載の、タイル状に配置される放射ディスプレイ（５００）。
【請求項１１】
放射ディスプレイタイルアセンブリ（１００）には、電力およびデータの両方の送信を組合せることのできるコネクタが設けられる、請求項１から請求項１０のいずれかに記載の、タイル状に配置される放射ディスプレイ（５００）。
【請求項１２】
各放射ディスプレイタイルアセンブリ（１００）には、設定データを格納するためのローカルな記憶手段が設けられる、請求項１から請求項１１のいずれかに記載の、タイル状に配置される放射ディスプレイ（５００）。
【請求項１３】
放射ディスプレイタイルアセンブリ（１００）は、他のタイルが作動し続けている間に修理され得るように適合される、請求項１から請求項１２のいずれかに記載の、タイル状に配置される放射ディスプレイ（５００）。
【請求項１４】
前記タイル状に配置される放射ディスプレイ（５００）は調節可能なサイズを有する、請求項１から請求項１３のいずれかに記載の、タイル状に配置される放射ディスプレイ（５００）。
【請求項１５】
機械的に共に結合される複数の放射ディスプレイタイルアセンブリ（１００）を備えるタイル状に配置される放射ディスプレイ（５００）を自動的に設定する方法（８００）であって、前記タイル状に配置される放射ディスプレイ（５００）は、画像を表示するように意図され、前記方法は、
各放射ディスプレイタイルアセンブリ（１００）に対し、コンテンツデータおよび通信データを案内する際に使用するための一意のアドレスを割当てるステップ（８１２）と、
各放射ディスプレイタイルアセンブリ（１００）に対し、各放射ディスプレイタイルアセンブリ（１００）が表示されるべき画像のどの部分を示すかを指定する表示座標を配信するステップ（８１４）と、
各放射ディスプレイタイルアセンブリ（１００）に対し、前記放射ディスプレイタイルアセンブリ（１００）にローカルな記憶装置（６２４）に格納された設定データを読出すことと、前記放射ディスプレイタイルアセンブリ（１００）にローカルな分散処理手段（６１０）でこの情報を用いて、前記放射ディスプレイタイルアセンブリ（１００）の解像
度を設定することとにより、前記放射ディスプレイタイルアセンブリ（１００）を設定するステップ（８１６）とを含む、方法。
【請求項１６】
前記各放射ディスプレイタイルアセンブリ（１００）に一意のアドレスを割当てるステップ（８１２）の前に、前記タイル状に配置される放射ディスプレイ（５００）において前記放射ディスプレイタイルアセンブリ（１００）の存在を検出するステップをさらに含む、請求項１５に記載の方法。
【請求項１７】
ディスプレイ全体の輝度を整合するためにおよび／または個々の画素の不均一性を補正するために、前記放射ディスプレイタイルアセンブリ（１００）を較正するステップをさらに含む、請求項１５または請求項１６に記載の方法。
【請求項１８】
前記各放射ディスプレイタイルアセンブリ（１００）に一意のアドレスを割当てるステップ（８１２）の前に、前記タイル状に配置される放射ディスプレイ（５００）を機械的に組立てて作動させるステップをさらに含む、請求項１５から請求項１７のいずれかに記載の方法。
【請求項１９】
前記機械的に組立てるステップは、１つの放射ディスプレイタイルアセンブリ（１００）から別の放射ディスプレイタイルアセンブリ（１００）へのデータおよび／または電力に対し、デイジーチェーン接続、マルチライン接続、またはスター接続の各々のうちの１つを提供するステップを含む、請求項１８に記載の方法。
【請求項２０】
画像を表示するように意図される、タイル状に配置される放射ディスプレイ（５００）において、少なくとも１つの放射ディスプレイタイルアセンブリ（１００）を交換する方法であって、
前記タイル状に配置される放射ディスプレイ（５００）において少なくとも１つの放射ディスプレイタイルアセンブリ（１００）を機械的に交換するステップ（９１０）と、
少なくとも１つの交換された放射ディスプレイタイルアセンブリ（１００）に対し、コンテンツデータおよび通信データを案内する際に使用するための一意のアドレスを割当てるステップ（９１６）と、
前記少なくとも１つの交換された放射ディスプレイタイルアセンブリ（１００）に対し、前記少なくとも１つの交換された放射ディスプレイタイルアセンブリ（１００）が表示されるべき画像のどの部分を示すかを指定する表示座標を割当てるステップ（９１８）と、
交換された各放射ディスプレイタイルアセンブリ（１００）に対し、前記少なくとも１つの放射ディスプレイタイルアセンブリ（１００）にローカルな記憶装置（６２４）に格納された設定データを読出すことと、前記交換された放射ディスプレイタイルアセンブリ（１００）にローカルな分散処理手段（６１０）でこの情報を用いて、前記放射ディスプレイタイルアセンブリ（１００）の解像度を設定することとにより、前記少なくとも１つの交換された放射ディスプレイタイルアセンブリ（１００）を設定するステップ（９２０）とを含む、方法。
【請求項２１】
ディスプレイ全体の輝度を整合するためにおよび／または個々の画素の不均一性を補正するために、前記少なくとも１つの交換された放射ディスプレイタイルアセンブリ（１００）を較正するステップをさらに含む、請求項２０に記載の方法。
【請求項２２】
前記一意のアドレスを割当てるステップの前に、タイルの数または配置が変更されたかどうかを判定するステップ（９１４）をさらに含む、請求項２０または請求項２１に記載の方法。
【請求項２３】
タイルの数または配置が変更されている場合に、請求項１２から請求項１６に記載の方法のいずれかに従い、前記タイル状に配置される放射ディスプレイ（５００）を設定するステップをさらに含む、請求項２２に記載の方法。
【請求項２４】
前記少なくとも１つの放射ディスプレイタイルアセンブリ（１００）を機械的に交換するステップは、少なくとも１つの他の放射ディスプレイタイルアセンブリ（１００）からの、または、少なくとも１つの他の放射ディスプレイタイルアセンブリ（１００）へのデータおよび／または電力に対する配信接続を復元するステップを含む、請求項２０から請求項２３のいずれかに記載の方法。
【請求項２５】
前記ディスプレイはＯＬＥＤディスプレイである、請求項１から請求項１４のいずれかに記載の、タイル状に配置される放射ディスプレイ。
【請求項２６】
前記放射ディスプレイはＯＬＥＤディスプレイである、請求項１５から請求項２４のいずれかに記載の方法。